(57)【特許請求の範囲】
【請求項１】
異なる波長帯に対応して複数配される表示素子上の画像を被投写面上に拡大投写する投写型映像表示装置であって、
各表示素子に対応する波長の照明光を導く導光光学系と、前記各表示素子にて変調された変調光を拡大投写する投写光学系と、前記各表示素子と前記投写光学系の間に配され、前記各表示素子によって変調された各波長帯の変調光の偏光方向を、偏光方向毎に、前記投写光学系の光軸を中心として放射状となるよう変換する第１の偏光変換手段と、を有する投写型映像表示装置において、
前記第１の偏光変換手段は、異方性軸が互いに異なる複数の領域が円周方向に配列された第１の光学素子を有することを特徴とする投写型映像表示装置。
【請求項２】
請求項１記載の投写型映像表示装置において、
前記第１の光学素子の前記各領域には、異方性軸が互いに異なるようにしてフォトニック結晶が配されていることを特徴とする投写型映像表示装置。
【請求項３】
請求項１または２に記載の投写型映像表示装置において、
前記投写光学系は、屈折光学系と該屈折光学系を透過した前記変調光を反射する反射光学系を備え、
前記屈折光学系と前記反射光学系の間に前記変調光の偏光方向が同心円状となるよう前記変調光の偏光方向を変換する第２の偏光変換手段をさらに有することを特徴とする投写型映像表示装置。
【請求項４】
請求項３記載の投写型映像表示装置において、
前記第２の偏光変換手段は、異方性軸が互いに異なる複数の領域が円周方向に配列された第２の光学素子を有することを特徴とする投写型映像表示装置。
【請求項５】
請求項４記載の投写型映像表示装置において、
前記第２の光学素子の前記各領域には、異方性軸が互いに異なるようにしてフォトニック結晶が配されていることを特徴とする投写型映像表示装置。
【発明の詳細な説明】
【技術分野】
【０００１】
本発明は、表示素子上の画像を被投写面上に拡大投写する投写型映像表示装置に関するものである。
【背景技術】
【０００２】
現在、表示素子（液晶パネル等）上の画像を被投写面（スクリーン等）上に拡大投写する投写型映像表示装置（以下、「プロジェクタ」という）が商品化され広く普及している。この種のプロジェクタでは、たとえば、表示素子として３枚の透過型液晶パネルが使用され、各パネルによって変調された赤、緑、青の光をダイクロイックプリズムにて合成し、合成後の光を投写光学系にてスクリーン面上に投写する構成となっている。
【０００３】
ここで、ダイクロイックプリズムを透過した後の各色の光は、通常、それぞれ、一方向のみに振動する直線偏光となっている。しかし、この状態で各色光が投写光学系に入射すると、以下のように、投写光学系（レンズ群）を透過した後の光の強度分布が不均一になるとの問題が生じる。
【０００４】
つまり、レンズにおける光の透過率は、レンズ入射面に対しＰ偏光（光線の入射方向と入射点に立てた法線とを含む面内（以下、この面のことを「法線面」という）で振動する直線偏光）の状態で光が入射すると高くなり、偏光状態がＳ偏光（法線面に垂直な面内で振動する直線偏光）に近づくほど低くなる。ここで、各色光の偏光方向が上記のように一方向に固定されている場合には、レンズの周方向位置が変わると法線面に対する光の偏光方向が変化することとなり、その結果、レンズの周方向位置毎に光の透過率が相違するようになる。このように光の透過率が不均一になることに起因して、投写光学系（レンズ群）を透過した後の光の強度分布が不均一となってしまう。
【０００５】
この問題は、反射面に光が入射する際も同様に生じる。反射面においては、Ｓ偏光の状態で光が入射すると反射率が高くなり、Ｐ偏光の状態で入射すると反射率が低くなる。よって、投写光学系が凹面ミラー等の反射光学系をさらに含んでおり、レンズ群（屈折光学系）を透過した後の各色光（直線偏光）をさらに凹面ミラー等によってスクリーン面上に拡大投写するような場合には、凹面ミラーにおける反射率の不均一性に起因して、光の強度分布がさらに不均一となってしまう。
【０００６】
なお、ここでは、表示素子として３枚の液晶パネルを用いる例を述べたが、この問題は、表示素子として１枚の透過型液晶パネルを用いる場合等にも同様に生じる。つまり、この問題は、各色光が一方向に振動する直線偏光にて屈折光学系（レンズ群）や反射光学系（凹面ミラー）に入射する場合に等しく生じる問題である。
【０００７】
そこで、この問題を解消するべく、以下の特許文献１では、ダイクロイックプリズムと投写光学系の間に１／４波長板を配置し、円偏光または楕円偏光の状態で各色光を投写光学系に入射させるようにしている。こうすると、入射位置毎に偏光状態が相違することがないため、偏光状態の相違に起因する透過率や反射率の不均一性が抑制される。その結果、投写光学系を通過した後の光の強度分布を均一なものとすることができる。
【特許文献１】特開２００３−１２１８１１号公報
【発明の開示】
【発明が解決しようとする課題】
【０００８】
しかしながら、投写レンズに対し円偏光または楕円偏光の状態で光を入射させると、光の透過率は、Ｐ偏光で入射させたときの透過率とＳ偏光で入射させたときの透過率を平均した程度のものとなる。同様に、凹面ミラーに円偏光または楕円偏光の状態で光を入射させたときの反射率は、Ｓ偏光で入射させたときの反射率とＰ偏光で入射させたときの反射率を平均した程度のものとなる。
【０００９】
したがって、上記特許文献１の構成によれば、投写レンズにおける透過率と凹面ミラーにおける反射率が、それぞれ、投写レンズにＰ偏光にて光を入射させたときの透過率と凹面ミラーにＳ偏光にて光を入射させたときの反射率よりもかなり低下することとなる。つまり、上記特許文献１の構成によれば、光強度分布の均一性は改善されるものの、その一方で、光の利用効率が低下することとなり、プロジェクタの高輝度化が損なわれる結果となってしまう。
【００１０】
本発明は、このような問題を解消するためになされたものであり、均一で明るい画像を被投写面に投写可能な投写型映像表示装置を提供することを目的とする。
【課題を解決するための手段】
【００１１】
本開示における投写型映像表示装置は、表示素子上の画像を被投写面上に拡大投写する投写型映像表示装置において、前記表示素子に照明光を導く導光光学系と、前記表示素子にて変調された変調光を拡大投写する投写光学系と、前記表示素子と前記投写光学系の間に配され前記変調光の偏光方向を前記投写光学系の光軸を中心として放射状となるよう変換する第１の偏光変換手段とを有するものである。
【００１２】
加えて、前記表示素子は、異なる波長帯に対応して複数配されており、前記導光光学系は、対応する波長の照明光を各表示素子に導き、前記第１の偏光変換手段は、前記各表示素子によって変調された各波長帯の変調光の偏光方向を、偏光方向毎に、前記投写光学系の光軸を中心として放射状となる方向に変換する偏光変換素子を備える。
【００１３】
さらに、前記第１の偏光変換手段は、異方性軸が互いに異なる複数の領域が円周方向に配列された第１の光学素子を有する。
【００１４】
ここで、前記表示素子は、異なる波長帯に対応して複数配されており、前記導光光学系は、対応する波長の照明光を各表示素子に導き、前記第１の偏光変換手段は、前記各表示素子によって変調された各波長帯の変調光を合成した合成光の偏光方向を一方向に揃える偏光調整素子と、該偏光調整素子によって偏光方向が揃えられた合成光の偏光方向を前記投写光学系の光軸を中心として放射状となるよう変換する偏光変換素子とを有する構成としてもよい。
【００１５】
上記の投写型映像表示装置において、前記第１の光学素子の前記各領域には、異方性軸が互いに異なるようにしてフォトニック結晶が配されてもよい。
【００１６】
上記の投写型映像表示装置において、前記投写光学系は、屈折光学系と該屈折光学系を透過した前記変調光を反射する反射光学系を備え、前記屈折光学系と前記反射光学系の間に前記変調光の偏光方向が同心円状となるよう前記変調光の偏光方向を変換する第２の偏光変換手段をさらに有する構成としてもよい。
【００１７】
上記の投写型映像表示装置において、前記第２の偏光変換手段は、異方性軸が互いに異なる複数の領域が円周方向に配列された第２の光学素子を有する構成としてもよい。
【００１８】
上記の投写型映像表示装置において、前記第２の光学素子の前記各領域には、異方性軸が互いに異なるようにしてフォトニック結晶が配されてもよい。
【発明の効果】
【００１９】
本発明によれば、偏光方向が投写光学系の光軸を中心として放射状となるようして変調光が投写光学系を構成する屈折光学系（レンズ群）に入射されるため、レンズ周方向位置における変調光の偏光状態を、何れの周方向位置においてもＰ偏光に近いものとすることができる。よって、レンズ周方向位置における光の透過率を略一様にすることができ、同時に、各周方向位置における透過率をＰ偏光に対応する透過率近くまで高めることができる。したがって、本発明によれば、屈折光学系（レンズ群）を透過した後の映像光の強度分布を均一なものとすることができ、同時に、映像光の利用効率を高めることができる。よって、均一で明るい画像を被投写面に投写可能な投写型映像表示装置を提供することができる。
【００２０】
また、偏光方向が同心円状となるようにして映像光が反射光学系（凹面ミラー）に入射されるため、ミラー周方向位置における変調光の偏光状態を、何れの周方向位置においてもＳ偏光に近いものとすることができる。よって、ミラー周方向位置における光の反射率を略一様にすることができ、同時に、各周方向位置における反射率をＳ偏光に対応する反射率近くまで高めることができる。したがって、反射光学系にて反射された後の映像光の強度分布を均一なものとすることができ、同時に、映像光の利用効率を高めることができる。よって、均一で明るい画像を被投写面に投写可能な投写型映像表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２２】
以下、本発明の実施の形態につき図面を参照して説明する。
【００２３】
＜実施例１＞
図１に、実施例１に係るプロジェクタの構成（光学系）を示す。本実施例は、単板式のプロジェクタに本発明を適用したものである。
【００２４】
同図（ａ）に示す如く、本実施例の光学系は、光源１１と、照明光学系１２と、表示素子１３と、偏光変換素子１４と、屈折光学系１５（投写光学系）を備えている。光源１１は、赤色光（以下「Ｒ光」という）、緑色光（以下「Ｇ光」という）、青色光（以下「Ｂ光」という）を発光する複数のＬＥＤ（Ｌｉｇｈｔ  Ｅｍｉｔｔｉｎｇ  Ｄｉｏｄｅ）または半導体レーザを備えている。照明光学系１２は、光源１１から出射されたＲ光、Ｇ光、Ｂ光を均一で指向性のよい照明光に変換して表示素子１３に入射させる。
【００２５】
ここで、表示素子１３に入射する際のＲ光、Ｇ光、Ｂ光は、何れも、偏光方向が同図Ｙ軸方向に平行な直線偏光となっている。光源１１が複数のＬＥＤから構成される場合、照明光学系１２に配されたＰＢＳ（Ｐｏｌａｒｉｚｉｎｇ  Ｂｅａｍ  Ｓｐｌｉｔｔｅｒ）アレイによってＲ光、Ｇ光、Ｂ光の偏光方向がＹ軸方向に平行となるよう揃えられる。また、光源１１が複数の半導体レーザから構成される場合、出射光軸を軸とする各半導体レーザの回転位置を調整することにより、Ｒ光、Ｇ光、Ｂ光の偏光方向がＹ軸方向に平行となるよう揃えられる。さらに、何れの場合も、表示素子１３の光入射側に配された偏光板（図示せず）によって、偏光方向の乱れが解消される。
【００２６】
表示素子１３は、光透過型の液晶パネルからなっており、入射されたＲ光、Ｇ光、Ｂ光を映像信号に応じて変調する。光源１１からＲ光、Ｇ光、Ｂ光が時分割で発光される場合、表示素子１３は、各色光の発光タイミングにおいて、その色光に対応する映像信号に応じた画像を描画する。また、光源１１からＲ光、Ｇ光、Ｂ光が同時発光される場合、表示素子１３は、各色光の画素位置にその色光に対応する映像信号に応じた画像を描画する。後者の場合、表示素子１３には、各色光と画素位置とを対応させるカラーフィルターが配される。
【００２７】
表示素子１３によって変調されたＲ光、Ｇ光、Ｂ光（映像光）は、出射側偏光板（図示せず）を介して偏光変換素子１４に入射される。この際、Ｒ光、Ｇ光、Ｂ光（映像光）の偏光方向は、何れも、同図Ｙ軸方向に平行となっている。
【００２８】
偏光変換素子１４は、偏光方向が屈折光学系１５の光軸中心から放射状となるように、Ｒ光、Ｇ光、Ｂ光（映像光）の偏光方向を変換する。屈折光学系１５には、光軸方向に複数のレンズが配されている。偏光方向が変換されたＲ光、Ｇ光、Ｂ光（映像光）は、屈折光学系１５を介してスクリーン面に拡大投写される。
【００２９】
同図（ｂ）に示す如く、表示素子１３は、有効表示領域の中心が屈折光学系１５の光軸中心からＹ軸方向に距離ｄだけ変位するよう配置されている。したがって、表示素子１３によって変調されたＲ光、Ｇ光、Ｂ光（映像光）は、屈折光学系１５の光軸中心からこの変位方向に変位した位置において屈折光学系１５に入射される。
【００３０】
図２（ａ）は、屈折光学系１５の入射側レンズ面１５ａと表示素子１３の位置関係および入射側レンズ面１５ａに入射する際のＲ光、Ｇ光、Ｂ光（映像光）の偏光方向を模式的に示す図である。図示の如く、表示素子１３によって変調されたＲ光、Ｇ光、Ｂ光（映像光）は、偏光方向が屈折光学系１５の光軸中心から放射状となる状態で、屈折光学系１５の入射側レンズ面１５ａに入射される。
【００３１】
図２（ｂ）は、偏光変換素子１４の構成例を示す図である。この構成例における偏光変換素子１４は、平面が正１２角形で一定厚さの形状を有している。周方向に均等に分割された１２の領域は、それぞれ、１／２波長板と同様の機能を有している。同一領域内における異方性軸の方位（図中矢印で示す）は同じであるが、領域間では、異方性軸の方位が互いに相違している。ここで、各領域の異方性軸の方位は、同図Ｙ軸方向に平行な方向の直線偏光が入射されると、その偏光方向を、偏光変換素子１４の中心からほぼ放射状となる方向に変換するよう設定されている。
【００３２】
ここで、同一領域内における異方性軸の方位は同じであるため、同じ領域を通過した光は同じ偏光方向となる。なお、各領域の異方性軸の方位は、変換後の偏光方向が、その領域を偏光変換素子１４の周方向に２分割する分割線に平行となるように設定されている。したがって、厳密に言えば、この分割線から周方向に離れた位置では、変換後の偏光方向が、偏光変換素子１４の中心から放射状となる方向（以下、「放射方向」という）から傾くこととなる。
【００３３】
しかし、ここでは、周方向における各領域の角度幅が小さい（３６０／１２＝３０°）ため、放射方向に対する変換後の偏光方向のずれ角はそれほど大きくならない。このずれ角は、分割線から周方向に最も離れた位置でも精々１５°程度である。このように、変換後の偏光方向が放射方向からずれるとしても、そのずれ角はそれほど大きくなく、略放射方向と同じであると見なすことができる程度のものとなる。周方向における領域分割数をさらに多くすることにより、各領域における偏光方向のずれ角をさらに小さくすることができる。
【００３４】
このように構成された偏光変換素子１４は、その中心が屈折光学系１５の光軸中心に一致し、かつ、図２（ｂ）のＬ１、Ｌ２が図２（ａ）のＬ１、Ｌ２にそれぞれ一致する状態で配置される。これにより、屈折光学系１５に入射する際のＲ光、Ｇ光、Ｂ光（映像光）の偏光方向は、偏光変換素子１４によって、屈折光学系１５の光軸中心から放射状となる方向とされる。
【００３５】
なお、偏光変換素子１４における各領域は、たとえば、フォトニック結晶構造をもって形成することができる。
【００３６】
図３は、フォトニック結晶構造１４１を模式的に示す図である。図示の如く、フォトニック結晶構造１４１は、断面三角形状の平行な溝が形成された基板１４１ａ上に第１の層１４１ｂと第２の層１４１ｃを順番に多数積層形成したものである。第１の層１４１ｂと第２の層１４１ｃは、互いに屈折率が異なる誘電体層である。溝のピッチおよび深さと、第１の層１４１ｂと第２の層１４１ｃの屈折率および膜厚を調整することにより、フォトニック結晶構造１４１に１／２波長板の機能が現れる。なお、この種のフォトニック結晶構造は、フォトニックラティス社によって製品化されている。
【００３７】
図示の如く、光の入射方向に垂直な面内において偏光方向が異方性軸に対し角度θだけ傾いた状態で直線偏光の光をフォトニック結晶構造１４１に入射させると、フォトニック結晶構造１４１を透過した後の光の偏光方向は、異方性軸を対称軸として折り返した方向となり、異方性軸に対し−θの角度を持つこととなる。
【００３８】
図４（ａ）は、フォトニック結晶構造を図２（ｂ）の各領域に形成した場合の偏光変換素子１４の構成を模式的に示す図である。領域Ｅ１〜Ｅ１２には、上記の如く変換後の偏光方向が放射方向となる方位（図中、矢印で示す）の異方性軸が設定されている。したがって、この偏光変換素子１４を同図中Ｙ軸方向に平行な偏光方向の直線偏光の光が透過すると、領域Ｅ１〜Ｅ１２を透過した後の光の偏光方向は、放射方向（同図（ｂ）に矢印で示す）となる。
【００３９】
なお、フォトニック結晶構造は波長選択性を有するため、偏光変換素子１４をフォトニック結晶構造から構成する場合には、Ｒ光、Ｇ光、Ｂ光に対して個別に偏光変換素子を配置する必要がある。つまり、この場合、図１（ａ）に示す偏光変換素子１４は、Ｒ光用、Ｇ光用、Ｂ光用の３つの偏光変換素子をこれら色光の進行方向に重ねて構成される。
【００４０】
以上のとおり、本実施例では、屈折光学系１５の手前に偏光変換素子１４を配することにより、屈折光学系１５に入射する際のＲ光、Ｇ光、Ｂ光（映像光）の偏光方向が、屈折光学系１５の光軸中心から放射状となる方向とされる。これにより、以下のとおり、屈折光学系を透過する際のＲ光、Ｇ光、Ｂ光（映像光）の透過率が改善される。
【００４１】
図５に示す如く、各色光の光線は、屈折光学系１５を構成するレンズ１５１、１５２の各接平面Ｓに対し異なる角度で入射する。一般に、屈折率ｎ１の媒質１から屈折率ｎ２の媒質２に光が入射する際の反射率と透過率は次式で与えられる。
【００４２】
【数１】
0005355961.tif 000002
【００４３】
ここで、φ１、φ２は、それぞれ、媒質１から媒質２への入射角および屈折角、Ｒｐ、Ｒｓは、それぞれ、入射面（媒質１と媒質２の境界面）に対してＰ偏光およびＳ偏光で光が入射する場合の反射率、Ｔｐ、Ｔｓは、それぞれ、入射面（媒質１と媒質２の境界面）に対してＰ偏光およびＳ偏光で光が入射する場合の透過率である。
【００４４】
なお、Ｒ光、Ｇ光、Ｂ光は、波長が相違するため、屈折光学系１５内の各レンズに対する屈折率が相違し、このため、Ｒ光、Ｇ光、Ｂ光に対する各レンズの屈折作用が相違する。これに起因して、各色光の光線は、屈折光学系１５内において異なる光路を辿ることとなる。したがって、各レンズに対する各色光の光線の入射角φ１は互いに異なり、このため、各レンズに対する光線の透過率は、色毎に相違することとなる。さらに、かかる屈折率の相違が上記数１のパラメータｎに影響するため、これによっても、各レンズに対する各色光の光線の透過率が相違することとなる。
【００４５】
図６は、屈折光学系１５の光軸中心からの距離と各色光の透過率の関係をシミュレーションしたものである。なお、このシミュレーションは、屈折光学系１５内に配された全てのレンズを各色光が透過した際のトータルの透過率を、各レンズの光学設計値をもとに算出したものである。
【００４６】
図示の如く、屈折光学系１５にＳ偏光で各色光が入射する場合に比べＰ偏光で入射する場合の透過率は顕著に改善される。図１の光学系において偏光変換素子１４が配置されていない場合、各色光は、Ｙ軸方向に平行な直線偏光の状態で屈折光学系１５に入射する。このため、屈折光学系１５に入射する際の各色光の偏光状態は、入射側レンズの周方向位置が変化するに応じてＰ偏光やＳ偏光あるいはＰ偏光とＳ偏光の間の偏光状態となり、その結果、屈折光学系１５内の全てのレンズを透過した際のトータルの透過率が周方向位置に応じて変化することとなる。したがって、偏光変換素子１４が配置されていない場合には、このようにトータルの透過率が不均一となることに起因して、屈折光学系１５を透過した後の光の強度分布が不均一となる。
【００４７】
これに対し、偏光変換素子１４を配すると、上記の如く、Ｒ光、Ｇ光、Ｂ光は、入射側レンズの何れの周方向位置においても略Ｐ偏光の状態で、屈折光学系１５に入射することとなる。よって、屈折光学系１５内の全てのレンズを透過した際のトータルの透過率は周方向位置が変化しても変化せず、また、その透過率をＰ偏光に対応する透過率近くまで高めることができる。したがって、本実施例によれば、上記のように偏光変換素子１４を配置することにより、屈折光学系１５を透過した後の光の強度分布を周方向に均一なものとすることができ、かつ、Ｒ光、Ｇ光、Ｂ光（映像光）の利用効率を高めることができる。よって、均一で明るい画像をスクリーン上に投写することができる。
【００４８】
さらに、図７（ａ）は、フォトニック結晶構造を連続的に形成した場合の偏光変換素子１４’の構成を模式的に示す図である。詳細には、各領域を極限まで小さく分割し、図７（ｂ）に示すように、微小領域ΔＥ毎に、変換後の偏光方向が放射方向となる方位（図中、矢印で示す）の異方性軸が設定されている。したがって、この偏光変換素子１４’を同図中Ｙ軸方向に平行な偏光方向の直線偏光の光が透過すると、偏光変換素子１４’を透過した後の光の偏光方向は、不連続な境界部分がなく、連続的に放射方向に変換される。
【００４９】
＜実施例２＞
図８に、実施例２に係るプロジェクタの構成（光学系）を示す。本実施例は、３板式のプロジェクタに本発明を適用したものである。
【００５０】
光源２１は、ランプとリフレクタから構成され、略平行な光を照明光学系２２に出射する。照明光学系２２は、フライアイレンズ、ＰＢＳアレイおよびコンデンサレンズを備え、表示素子（液晶パネル）２６、２９、３６に入射する際の各色の光の光量分布を均一化させるとともに、ダイクロイックミラー２３に向かう光の偏光方向を同図のＹ軸方向に揃える。
【００５１】
ダイクロイックミラー２３は、照明光学系２２から入射された光のうち、Ｂ光のみを反射し、Ｒ光とＧ光を透過する。ミラー２４は、ダイクロイックミラー２３によって反射されたＢ光をレンズ２５に向かう方向に反射する。Ｂ光は、レンズ２５と偏光板（図示せず）を介して、表示素子２６に入射する。表示素子２６は、青色用の映像信号に応じて駆動され、その駆動状態に応じてＢ光を変調する。なお、表示素子２６の出射側には偏光板（図示せず）が配されている。
【００５２】
ダイクロイックミラー２７は、ダイクロイックミラー２３を透過したＲ光およびＧ光のうち、Ｇ光のみを反射する。Ｇ光は、偏光板（図示せず）を介して、表示素子２９に入射する。表示素子２９は、緑色用の映像信号に応じて駆動され、その駆動状態に応じてＧ光を変調する。なお、表示素子２９の出射側には偏光板（図示せず）が配されている。１／２波長板３０は、Ｇ光の偏光方向を９０度回転させる。これにより、Ｇ光の偏光方向は、同図のＸ軸方向となる。
【００５３】
ダイクロイックミラー２７を透過したＲ光は、ミラー３２、３４とレンズ３１、３３、３５を介して、表示素子３６に入射する。表示素子３６は、赤色用の映像信号に応じて駆動され、その駆動状態に応じてＲ光を変調する。なお、表示素子３６の入射側と出射側には偏光板（図示せず）が配されている。
【００５４】
ダイクロイックプリズム３７は、表示素子２６、２９、３６によって変調されたＢ光、Ｇ光およびＲ光のうち、Ｂ光とＲ光を反射するとともにＧ光を透過し、これにより、Ｂ光、Ｇ光およびＲ光を色合成する。なお、Ｂ光とＲ光は、ダイクロイックプリズム３７の反射面に対しＳ偏光で入射し、Ｇ光は、ダイクロイックプリズム３７の反射面に対しＰ偏光で入射する。
【００５５】
偏光変換ユニット３８は、偏光方向が屈折光学系３９の光軸中心から放射状となるように、Ｒ光、Ｇ光、Ｂ光（映像光）の偏光方向を変換する。屈折光学系３９には、光軸方向に複数のレンズが配されている。偏光方向が変換されたＲ光、Ｇ光、Ｂ光（映像光）は、屈折光学系３９を介してスクリーン面に拡大投写される。
【００５６】
図９は、表示素子２６、２９、３６から屈折光学系３９までの構成をさらに詳細に示す図である。同図に示す如く、表示素子２６、２９、３６は、有効表示領域の中心が屈折光学系３９の光軸中心からＹ軸方向に距離ｄだけ変位するよう配置されている。したがって、表示素子２６、２９、３６によって変調されダイクロイックプリズム３７によって合成されたＲ光、Ｇ光、Ｂ光（映像光）は、屈折光学系３９の光軸中心からこの変位方向に変位した位置において屈折光学系３９に入射される。
【００５７】
なお、本実施例において、偏光変換ユニット３８は、波長選択性の１／２波長板３８１と偏光変換素子３８２から構成されている。ここで、１／２波長板３８１は、Ｇ光の偏光方向のみを９０度回転させる。これにより、Ｇ光の偏光方向は図中Ｙ軸方向に平行となり、Ｂ光、Ｒ光の偏光方向に整合する。したがって、Ｒ光、Ｇ光、Ｂ光（映像光）は、上記実施例１と同様、Ｙ軸に平行な直線偏光の状態にて、偏光変換素子３８２に入射する。偏光変換素子３８２は、上記実施例１と同様に構成および配置されている。よって、偏光変換素子３８２を透過したＲ光、Ｇ光、Ｂ光（映像光）は、上記実施例１と同様、偏光方向が屈折光学系３９の光軸中心から放射状となる状態にて屈折光学系３９に入射される。
【００５８】
このように、本実施例においても上記実施例１と同様、偏光方向が屈折光学系３９の光軸中心から放射状となる状態にて屈折光学系３９に入射されるため、上記実施例１と同じく、屈折光学系３９を透過した後の光の強度分布を均一化でき、かつ、Ｒ光、Ｇ光、Ｂ光（映像光）の利用効率を高めることができる。よって、均一で明るい画像をスクリーン上に投写することができる。
【００５９】
＜実施例３＞
図１０に、実施例３に係るプロジェクタの構成（光学系）を示す。本実施例は、屈折光学系から出射された映像光を反射光学系にてスクリーンに向けて拡大投写する斜め投写型のプロジェクタに本発明を適用したものである。
【００６０】
図において、光源２１から屈折光学系３９までの構成は、上記実施例２と同様である。本実施例では、屈折光学系３９の後段に、偏光変換素子４０と、反射光学系を構成する反射ミラー４１が配されている。
【００６１】
偏光変換素子４０は、Ｒ光、Ｇ光、Ｂ光（映像光）の偏光方向が屈折光学系３９の光軸中心を中心として同心円状となるように、Ｒ光、Ｇ光、Ｂ光（映像光）の偏光方向を変換する。反射ミラー４１は、非球面ミラーあるいは自由曲面ミラーから構成され、屈折光学系３９から入射された投写光を広角化してスクリーン上へ投写する。なお、ここでは、屈折光学系３９と反射ミラー４１によって投写光学系が構成されている。
【００６２】
図１１は、偏光変換ユニット３８から反射ミラー４１までの構成を側面から見たときの模式図である。反射ミラー４１は、反射面の輪郭が閉じた円となっている完全な形状の凹面ミラーからＲ光、Ｇ光、Ｂ光（映像光）が入射する有効入射領域以外の領域を切り欠いた形状となっている。反射ミラー４１は、完全な形状の凹面ミラーとしたときの光軸中心が屈折光学系３９の光軸中心に一致するよう配置されている。図示の如く、屈折光学系３９を透過したＲ光、Ｇ光、Ｂ光（映像光）は、偏光変換素子４０を介して反射ミラー４１に入射され、反射ミラー４１によってスクリーン上に拡大投写される。この際、Ｒ光、Ｇ光、Ｂ光（映像光）は、偏光変換素子４０の作用によって、偏光方向が屈折光学系３９の光軸中心を中心として同心円状となるように反射ミラー４１に入射される。
【００６３】
図１２は、表示素子２６、２９、３６から反射ミラー４１までの構成をさらに詳細に示す図である。上記実施例２で述べた如く、表示素子２６、２９、３６は、有効表示領域の中心が屈折光学系３９の光軸中心からＹ軸方向に距離ｄだけ変位するよう配置されている。したがって、表示素子２６、２９、３６によって変調されダイクロイックプリズム３７によって合成されたＲ光、Ｇ光、Ｂ光（映像光）は、屈折光学系３９の光軸中心からこの変位方向に変位した位置において屈折光学系３９に入射される。その後、Ｒ光、Ｇ光、Ｂ光（映像光）は屈折光学系３９を斜め上方向に進み、偏光変換素子４０を介して反射ミラー４１に入射する。
【００６４】
以下、図１２の（ア）〜（オ）の位置におけるＲ光、Ｇ光、Ｂ光（映像光）の偏光状態を図１３から図１７を参照して説明する。図１３から図１７は、何れも、ダイクロイックプリズム１７から反射ミラー４１に向かう方向に各位置を見たときの状態を概念的に示したものである。
【００６５】
なお、図１３から図１７には、表示素子２９、３６、３７の有効表示領域（図中には映像光エリアと記載）内にａ〜ｉの９個の点が参照点として設定され、これら各参照点における偏光方向が実線矢印で示されている。実際には、表示素子２９、３６、３７の各部から出射した光線は広がりを持っているため、ａ〜ｉの各参照点から出射した光線は、ある程度重なることとなり、これらの点における実際の光線は、図１３から図１７に示す状態から偏光方向がややずれたり、複数の偏光成分が混じった状態となる。しかし、各参照点における光線の多くは、図１３から図１７に示す理想的な偏光状態となっており、よって、ここでは、この理想的な偏光状態をもとに、図１２の（ア）〜（オ）の位置における偏光状態を説明することとする。
【００６６】
図１３は、図１２の（ア）の位置（ダイクロイックプリズム３７と１／２波長板３８１の間の位置）における偏光状態を示す図である。同図（ａ）はＲ光とＢ光の偏光状態、同図（ｂ）はＧ光の偏光状態である。上述の如く、（ア）の位置では、Ｒ光とＢ光はＹ軸に平行な直線偏光となっており、Ｇ光はＹ軸に垂直な直線偏光となっている。
【００６７】
図１４（ａ）は、図１２の（イ）の位置（１／２波長板３８１と偏光変換素子３８２の間の位置）における偏光状態を示す図である。上述の如く、Ｇ光の偏光方向が１／２波長板３１８によって９０度回転されるため、（イ）の位置では、Ｒ光、Ｇ光、Ｂ光の何れもＹ軸に平行な直線偏光となっている。
【００６８】
図１４（ｂ）は、図１２の（ウ）の位置（偏光変換素子３８２と屈折光学系３９の間の位置）における偏光状態を示す図である。Ｒ光、Ｇ光、Ｂ光（映像光）の偏光方向は、上述した偏光変換素子３８２による偏光変換作用により屈折光学系３９の光軸中心から放射状となる方向に変換される。このため、（ウ）の位置において、Ｒ光、Ｇ光、Ｂ光は、屈折光学系３９の光軸中心から放射状となる方向の直線偏光にて屈折光学系３９に入射する。
【００６９】
なお、図１４（ｂ）には、偏光変換素子３８２の各分割領域における異方性軸の方位が点線矢印にて示されている。図示の例では、映像光エリアは、１２の分割領域のうち下側の５つの分割領域に掛かっており、これ以外の７つの分割領域には掛かっていない。よって、この例の場合には、映像光エリアが掛からない７つの分割領域を省略しても良い。
【００７０】
図１５（ａ）は、図１２の（エ）の位置（屈折光学系３９と偏光変換素子４０の間の位置）における偏光状態を示す図である。屈折光学系３９を透過する前の映像光エリア内の任意の光線位置は、屈折光学系３９を透過することにより、屈折光学系３９の光軸中心に対し反対側に所定比率で折り返した位置へと移動する。よって、（エ）の位置における映像光エリア内の各光線位置の偏光状態は、このように折り返す前の対応する光線位置における偏光状態と等しくなる。すなわち、映像光エリア内の参照点ａ〜ｉは、屈折光学系３９を透過することにより、図１５（ａ）に示す位置へと移動し、これら参照点ａ〜ｉにおける偏光方向は、屈折光学系３９を透過前の参照点ａ〜ｉにおける偏光方向（図１４（ｂ）参照）と同じとなる。
【００７１】
図１５（ｂ）は、図１２の（オ）の位置（偏光変換素子４０と反射ミラー４１の間の位置）における偏光状態を示す図である。図中、各分割領域には、その領域の異方性軸の方位が点線矢印にて示されている。Ｒ光、Ｇ光、Ｂ光（映像光）の偏光方向は、偏光変換素子４０による偏光変換作用により、屈折光学系３９の光軸中心を中心として同心円状となる方向に変換される。
【００７２】
なお、偏光変換素子４０は、上記実施例１で述べたフォトニック結晶構造をもって構成することができる。この場合、各分割領域のフォトニック結晶構造の異方性軸は、図１５（ａ）に示す偏光状態にてＲ光、Ｇ光、Ｂ光（映像光）が入射されたときに、各分割領域を透過した後の偏光方向が、図１５（ｂ）に示すように屈折光学系３９の光軸中心を中心として同心円状となる方向に変換されるように設定される。また、上述の如くフォトニック結晶構造は波長選択性を有するため、このようにフォトニック結晶構造をもって偏光変換素子４０を構成する場合には、Ｒ光、Ｇ光、Ｂ光に対して個別に偏光変換素子を配置する必要がある。つまり、この場合、偏光変換素子４０は、Ｒ光用、Ｇ光用、Ｂ光用の３つの偏光変換素子をこれら色光の進行方向に重ねて構成される。なお、図１４の場合と同様、１２の分割領域のうち映像光エリアが掛からない分割領域は省略しても良い。
【００７３】
図１６は、反射ミラー４１に入射する際のＲ光、Ｇ光、Ｂ光（映像光）の偏光状態を示す図である。映像光エリア内の各光線位置の偏光方向は、図１５（ｂ）の場合と同じく、屈折光学系３９の光軸中心を中心として同心円状となる方向である。他方、反射ミラー４１は、上記の如く、反射面の輪郭が閉じた円となっている完全な形状の凹面ミラーからＲ光、Ｇ光、Ｂ光（映像光）が入射する有効入射領域以外の領域を切り欠いた形状となっており、完全な形状の凹面ミラーとしたときの光軸中心が屈折光学系３９の光軸中心に一致するようにして配置されている。したがって、図１６に示すように、偏光方向が屈折光学系３９の光軸中心を中心として同心円状の方向となる状態にて映像光エリア内の光線が反射ミラー４１に入射すると、ミラー面上の任意の入射位置におけるＲ光、Ｇ光、Ｂ光（映像光）の偏光状態は、ミラー面に対しＳ偏光またはＳ偏光に近い状態となる。
【００７４】
このように本実施例ではＲ光、Ｇ光、Ｂ光（映像光）が何れの入射位置においてもＳ偏光またはＳ偏光に近い状態で反射ミラー４１に入射されるため、反射ミラー４１におけるＲ光、Ｇ光、Ｂ光（映像光）の反射率が、偏光変換素子４０を配さない場合に比べ改善される。
【００７５】
図１７は、反射ミラー４１に対する各色光の入射角と反射率の関係をシミュレーションしたものである。
【００７６】
図示の如く、反射ミラー４１にＰ偏光で各色光が入射する場合に比べＳ偏光で入射する場合の反射率は高くなる。他方、図１７の光学系において偏光変換素子４０が配置されていないと、各色光は、図１５（ａ）に示す偏光状態で反射ミラー４１に入射する。この場合、反射ミラー４１に入射する際の各色光の偏光状態は、Ｐ偏光またはＰ偏光からＳ偏光へと近づいた状態となる。このため、反射ミラー４１における各色光の反射率は低くなり、また、入射位置に応じて反射率が相違することとなる。したがって、偏光変換素子４０が配置されていない場合には、このように反射率が不均一かつ低くになることに起因して、反射ミラー４１により反射された後の光の強度分布が不均一となり、また、光の強度自体も減衰することとなる。
【００７７】
これに対し、偏光変換素子４０を配すると、上記の如く、Ｒ光、Ｇ光、Ｂ光は、何れの入射位置においてもＳ偏光またはＳ偏光に近い状態で反射ミラー４１に入射されるため、反射ミラー４１における反射率は略一様となり、また、その反射率を高めることができる。したがって、本実施例によれば、上記のように偏光変換素子４０を配置することにより、反射ミラー４０にて反射された後の光の強度分布を均一化することができ、かつ、Ｒ光、Ｇ光、Ｂ光（映像光）の利用効率を高めることができる。よって、均一で明るい画像をスクリーン上に投写することができる。
【００７８】
なお、本実施例では、上記実施例２と同様、屈折光学系３９の手前に偏光変換ユニット３８が配されているため、屈折光学系３９を透過する際のＲ光、Ｇ光、Ｂ光（映像光）の強度ムラおよび利用効率が改善されている。本実施例では、さらに、反射ミラー４１の手前に偏光変換素子４０を配することにより、反射ミラー４１にて反射される際のＲ光、Ｇ光、Ｂ光（映像光）の強度ムラおよび利用効率が改善され、その結果、投写光学系全体における強度ムラおよび利用効率が改善される。
【００７９】
＜実施例４＞
上記実施例２では、図９に示すように、偏光変換ユニット３８を波長選択性の１／２波長板３８１と偏光変換素子３８２から構成し、１／２波長板３８１にてＧ光の偏光方向をＲ光、Ｂ光に揃えた後に、偏光変換素子３８２にて各色光の偏光方向を屈折光学系３９の光軸中心から放射状となるように変換するようにしたが、１／２波長板３８１にてＧ光の偏光方向を調整することなく、偏光変換素子３８２にて直接、各色光の偏光方向を屈折光学系３９の光軸中心から放射状となるように変換するよう構成することもできる。
【００８０】
図１８に、この場合の構成例を示す。ここでは、偏光変換ユニット３８がＧ光用の偏光変換素子３８３と、Ｒ光、Ｂ光用の偏光変換素子３８４から構成されている。偏光変換素子３８３は、同図Ｘ軸方向の偏光方向にて入射するＧ光に作用して、Ｇ光の偏光方向を屈折光学系３９の光軸中心から放射状となる方向に変換する。また、偏光変換素子３８４は、同図Ｙ軸方向の偏光方向にて入射するＲ光、Ｂ光に作用して、これら色光の偏光方向を屈折光学系３９の光軸中心から放射状となる方向に変換する。
【００８１】
ここで、偏光変換素子３８３、３８４は、上記と同様、周方向に分割された各領域の異方性軸の方位が調整された構成とすることができる。たとえば、各領域に、異方性軸の方位が異なるフォトニック結晶構造を形成することにより偏光変換素子３８３、３８４を構成できる。この場合、偏光変換素子３８４は、Ｒ光用、Ｂ光用の２つの偏光変換素子をこれら色光の進行方向に重ねて構成される。
【００８２】
図１９に、偏光変換素子３８３、３８４における異方性軸の方位を示す。領域Ｅ１〜Ｅ１２における異方性軸の方位は、同図中に矢印で示されている。同図（ａ）は、Ｇ光用の偏光変換素子３８３における異方性軸の方位を示し、同図（ｂ）は、Ｒ光用、Ｂ光用の偏光変換素子３８４における異方性軸の方位を示している。
【００８３】
同図（ａ）に示す偏光変換素子３８３に対し図中Ｘ軸方向に平行な偏光方向のＧ光が入射すると、その偏光方向が、偏光変換素子３８３の中心から略放射状となる方向に変換される。また、同図（ｂ）に示す偏光変換素子３８４に対し図中Ｙ軸方向に平行な偏光方向のＲ光、Ｂ光が入射すると、これら色光の偏光方向が、偏光変換素子３８４の中心から略放射状となる方向に変換される。
【００８４】
このように構成された偏光変換素子３８３、３８４は、その中心が屈折光学系３９の光軸中心に一致し、かつ、図１９（ａ）および（ｂ）のＬ１、Ｌ２が、それぞれ、図１８のＹ軸、Ｘ軸に平行となる状態で配置される。これにより、屈折光学系３９に入射する際のＲ光、Ｇ光、Ｂ光（映像光）の偏光方向は、偏光変換素子３８３、３８４によって、屈折光学系３９の光軸中心から放射状となる方向に変換される。
【００８５】
本実施例においても、上記実施例２と同様、偏光方向が屈折光学系３９の光軸中心から放射状となる状態にてＲ光、Ｇ光、Ｂ光（映像光）が屈折光学系３９に入射されるため、屈折光学系３９を透過した後の光の強度分布を均一化でき、かつ、Ｒ光、Ｇ光、Ｂ光（映像光）の利用効率を高めることができる。よって、均一で明るい画像をスクリーン上に投写することができる。
【００８６】
また、本実施例によれば、上記実施例２に比べ、１／２波長板３８１を省略できるため、構成の簡素化とコストの低減を図ることができる。なお、本実施例の構成を実施例３に適用することも勿論可能である。
【００８７】
以上、本発明の実施の形態について説明したが、本発明は、上記実施の形態によって制限されるものではない。また、本発明の実施形態は上記の他、種々の変更が可能である。
【００８８】
たとえば、上記実施例２または３では、Ｒ光、Ｇ光、Ｂ光を表示素子によって変調し、変調後の光をダイクロイックプリズムによって合成するようにしたが、これらの波長帯以外の光をさらに対応する表示素子にて変調させ、変調後の光をＢ光、Ｇ光、Ｒ光とともに合成して屈折光学系３９に入射させるようにしても良い。
【００８９】
また、上記実施例では、各色光を変調する素子として透過型の表示素子を用いたが、反射型の表示素子を用いたプロジェクタに本発明を適用することも可能である。また、各色光の表示素子をダイクロイックプリズム３７のどの面に対向させるかについても、上記実施の形態以外の方法を適宜採用することができ、たとえば、図１２におけるＢ光用の表示素子２６とＲ光用の表示素子３６を入れ替え、Ｂ光の方を、レンズ３１、３３を介して表示素子に入射させるようにしても良い。
【００９０】
なお、図８および図１０の構成例では、ダイクロイックプリズム３７の反射効率と透過効率を考慮して、Ｂ光とＲ光はＳ偏光にて、Ｇ光はＰ偏光にて、ダイクロイックプリズム３７に入射させるようにしたが、偏光方向に基づくダイクロイックプリズム３７の反射効率と透過効率を考慮する必要がない場合には、ダイクロイックプリズム３７に対し任意の偏光状態にて各色光を入射させることができる。この場合、図８および図１０の構成から１／２波長板３０が省略される。
【００９１】
このようにダイクロイックプリズム３７に対し任意の偏光状態にて各色光を入射させ得る場合には、必ずしも、上記の如く偏光変換素子３８２をダイクロイックプリズム３７の後段側に配置する必要はなく、Ｒ光用、Ｇ光用、Ｂ光用の偏光変換素子をそれぞれ表示素子２６、２９、３６とダイクロイックプリズム３７の間に配置することも可能である。この場合、各色光用の偏光変換素子は、ダイクロイックプリズム３７によって合成された後の各色光の偏光方向が屈折光学系３９の光軸中心に対し放射状となるように構成および配置される。
【００９２】
この他、本発明の実施の形態は、特許請求の範囲に示された技術的思想の範囲内において、適宜、種々の変更が可能である。
【図面の簡単な説明】
【００９３】
【図１】実施例１に係るプロジェクタの構成（光学系）を示す図
【図２】実施例１に係る屈折光学系入射時の偏光状態と偏光変換素子の構成例を示す図
【図３】実施例１に係る偏光変換素子の構成例を示す図
【図４】実施例１に係る偏光変換素子の構成例と変換後の偏光方向を示す図
【図５】実施例１の効果を説明する図
【図６】実施例１の効果を説明する図
【図７】実施例１に係る偏光変換素子の変形例と拡大した中心部の異方性軸を示す図
【図８】実施例２に係るプロジェクタの構成（光学系）を示す図
【図９】実施例２に係る光学系の一部をより詳細に示す図
【図１０】実施例３に係るプロジェクタの構成（光学系）を示す図
【図１１】実施例３に係る光学系の一部と光の投写状態を示す図
【図１２】実施例３に係る光学系の一部をより詳細に示す図
【図１３】図１２の位置（ア）における偏光状態を模式的に示す図
【図１４】図１２の位置（イ）（ウ）における偏光状態を模式的に示す図
【図１５】図１２の位置（エ）（オ）における偏光状態を模式的に示す図
【図１６】実施例３に係る反射ミラー入射時の偏光状態を模式的に示す図
【図１７】実施例３の効果を説明する図
【図１８】実施例４に係る光学系の一部を詳細に示す図
【図１９】実施例４に係る偏光変換素子の構成を示す図
【符号の説明】
【００９４】
１１  …  光源
１２  …  照明光学系
１３  …  表示素子
１４  …  偏光変換素子
１５  …  屈折光学系
２１  …  光源
２２  …  照明光学系
２３、２７  …  ダイクロイックミラー
２４、３２、３４  …  ミラー
２５、２８、３１、３３、３５  …  レンズ
２６、２９、３６  …  表示素子
３７  …  ダイクロイックプリズム
３８  …  偏光変換ユニット
３８１  …  １／２波長板
３８２  …  偏光変換素子
３９  …  屈折光学系
４０  …  偏光変換素子
４１  …  反射ミラー（反射光学系）
３８３  …  偏光変換素子（Ｇ光用）
３８４  …  偏光変換素子（Ｒ光、Ｂ光用）
【図１】
0005355961.tif 000003
【図２】
0005355961.tif 000004
【図３】
0005355961.tif 000005
【図４】
0005355961.tif 000006
【図５】
0005355961.tif 000007
【図６】
0005355961.tif 000008
【図７】
0005355961.tif 000009
【図８】
0005355961.tif 000010
【図９】
0005355961.tif 000011
【図１０】
0005355961.tif 000012
【図１１】
0005355961.tif 000013
【図１２】
0005355961.tif 000014
【図１３】
0005355961.tif 000015
【図１４】
0005355961.tif 000016
【図１５】
0005355961.tif 000017
【図１６】
0005355961.tif 000018
【図１７】
0005355961.tif 000019
【図１８】
0005355961.tif 000020
【図１９】
0005355961.tif 000021